(57)【要約】【課題】折戸式上吊り引戸装置において、開口部下方の床面に段差を発生させることなく、扉を面一にして設置スペースを必要最小限に抑え、美的外観を向上させる。【解決手段】引戸パネル１５と折戸体２０とを、連結手段で、扉Ａの開放初期動作に応じて引戸パネル１５のみの移動を許容する間隙を保持して、互いの縦框面が向き合う直列に連結し、開口部Ｓ上方に固定の上下に平行なガイドレール１１・１２に走行ガイド２３・４０を介してスライド自在に係合して吊持する。折戸パネル１８・１９は、ギヤヒンジ３０を介して折り畳み自在に連結する。折戸パネル１８は、折戸体の走行ガイドに枢軸３５を支点として回動可能に連結し、折戸パネル１９は、壁体Ｗに支軸４５を支点として回動可能に連結する。折戸体には、枢軸に対しギヤヒンジの位置と反対側に寄った偏心位置に、扉の開放初期動作と連動して引戸パネルで押圧される押圧受部４２を設ける。【選択図】        図１
2004218345.tif 000002
【特許請求の範囲】
【請求項１】
戸先側の引戸パネルと、２枚の折戸パネルからなる戸尻側の折戸体とを互いの縦框面が向き合う直列に連結して面一な扉を形成し、引戸パネルと折戸体とを、壁体の開口部上方に固定した上下に平行なガイドレールに、それぞれ走行ガイドを介しスライド自在に係合して扉全体を吊持する折戸式上吊り引戸装置であって、
前記扉の開放初期動作に応じて引戸パネルのみの移動を許容する間隙を保持して引戸パネルと折戸体とを連結する連結手段を備え、
両折戸パネルをギヤの噛み合いを介して折り畳み自在に連結する一方、戸先側の折戸パネルを、折戸体の前記走行ガイドに枢軸を支点として回動可能に連結すると共に、戸尻側の折戸パネルを、前記壁体に支軸を支点として回動可能に連結し、折戸体には、前記枢軸又は支軸に対し前記ギヤの位置と反対側に寄った偏心位置に、前記扉の開放初期動作と連動して引戸パネルで押圧される押圧受部を設けてなる、折戸式上吊り引戸装置。
【発明の詳細な説明】
【０００１】
【発明の属する技術分野】本発明は、折戸と引戸を組み合せた折戸式引戸を、折戸部分を転回させながら引戸部分と共にスライドさせて開閉する、身障者や要介護者などにとっても使い勝手のよい折戸式上吊り引戸装置に関する。
【０００２】
【従来の技術】一般に、各種扉の中で、引戸は、車椅子を利用する身障者や要介護者等にとっても、開閉操作が横に引くだけで済む単純で簡単であることから、病院等に多く設置されている。
【０００３】
しかし、引戸には、特に開時、開口部での有効開口幅を最大限に確保しようとすると、開口部の横に、壁などに沿って戸袋部位を設ける必要があり、それだけ余分に設置スペースを確保する必要があり、設置位置も、開口部の横に壁などがある箇所に限定されるという欠点がある。
【０００４】
一方、扉の中には、戸袋部位を必要とせず、開口部での有効開口幅を比較的広く確保できる折戸がある。しかし、折戸には、開閉時に、手で押したり引き込んだりして転回させる動作が必要であり、車椅子を利用する身障者や要介護者等にとっては、開閉操作が引戸のように単純ではなく容易でないという欠点がある。
【０００５】
そこで、従来、開閉操作が単純で簡単な引戸の長所と、有効開口幅を広く確保できる折戸の長所を活かすべく、引戸と折戸の構造を合体させた折戸式引戸装置が提案されている。
【０００６】
この従来の折戸式引戸装置は、取っ手を有する横幅の短い戸先側の引戸パネルに、折り畳み自在な２枚の折戸パネルからなる折戸体を、リンク機構で回動可能に連結して扉を構成し、その扉を壁体の開口部に開閉自在に組み付けている。一方、開口部上方の壁体および下方の床面には、それぞれ内側ガイドレールと外側ガイドレールを２列に並設している。内側および外側ガイドレールは、開閉方向と直交する見込み方向に間隔をあけて平行に固定し、折戸体を上下の内側ガイドレールに連結部を介してスライド自在に係合する一方、引戸パネルを上下の外側ガイドレールに連結部を介してスライド自在に係合して開閉方向に案内する構造にしている。そして、引戸パネルを、取っ手を持って左右にスライドさせると、それに連動して折戸体を転回させながら摺動して開閉するようになっている（例えば、特許文献１参照）。
【０００７】
【特許文献１】
特開２００２−１３３５２号公報（第６〜８頁、図１〜図４）
【０００８】
【発明が解決しようとする課題】ところが、従来の折戸式引戸装置では、リンク機構で連結した折戸体と引戸パネルを、互いに間隔をあけて２列のガイドレールで開閉方向に案内する構成であるため、構造上、見込み方向に扉全体の厚さが増し、それだけ開口部に扉を設置するスペースを大きく確保する必要があり、しかも、折戸体と引戸パネルとが見込み方向にずれて斜めに連結され、閉止状態では扉の板面が面一でないため、見栄えが悪く美的外観上極めて好ましくないという課題があった。
【０００９】
さらに、開口部下方の床面にも、折戸体と引戸パネルをそれぞれ案内するガイドレールを固設するため、床面に段差を生じ、昨今のバリアフリーの要請に反するという課題があった。
【００１０】
そこで、本発明の目的は、折戸と引戸を組み合せた折戸式上吊り引戸装置において、開口部下方の床面に段差を発生させることなく、扉を面一にして設置スペースを必要最小限に抑え、美的外観を向上させることにある。
【００１１】
【課題を解決するための手段】したがって、請求項１に記載の発明は、たとえば以下に示す図示実施の形態のとおり、戸先側の引戸パネル１５と、２枚の折戸パネル１８・１９からなる戸尻側の折戸体２０とを互いの縦框面が向き合う直列に連結して面一な扉Ａを形成し、引戸パネル１５と折戸体２０とを、壁体Ｗの開口部Ｓ上方に固定した上下に平行なガイドレール１１・１２に、それぞれ走行ガイド２３・４０を介しスライド自在に係合して扉Ａ全体を吊持する折戸式上吊り引戸装置であって、前記扉Ａの開放初期動作に応じて引戸パネル１５のみの移動を許容する間隙ｄを保持して引戸パネル１５と折戸体２０とを連結する連結手段５０を備え、両折戸パネル１８・１９を、ギヤヒンジ３０のようなギヤの噛み合いを介して折り畳み自在に連結する一方、戸先側の折戸パネル１８を、折戸体２０の前記走行ガイド４０に枢軸３５を支点として回動可能に連結すると共に、戸尻側の折戸パネル１９を、前記壁体Ｗに支軸４５を支点として回動可能に連結し、折戸体２０には、前記枢軸３５又は支軸４５に対し前記ギヤの位置と反対側に寄った偏心位置に、前記扉Ｗの開放初期動作と連動して引戸パネル１５で押圧される押圧受部４２を設けてなる、ことを特徴とする。
【００１２】
【発明の実施の形態】以下、図面を参照しつつ、本発明の実施の形態について説明する。
【００１３】
図１に、本発明による折戸式上吊り引戸装置の一例を示す。この折戸式上吊り引戸装置は、扉Ａを壁体Ｗに固定するガイドレール体Ｇを介して吊持し、壁体Ｗの開口部Ｓにて開閉方向Ｘに開閉自在に組み付けた構造になっている。なお、図中符号９は、扉Ａの戸当たりである。
【００１４】
ガイドレール体Ｇは、図１および図２でも示すように、上側縁部を直角に折り曲げた長尺なベースプレート１０を備え、その正面１０ａに２本のガイドレール１１・１２を上下に並べ、互いに平行に固着している。さらに正面１０ａには、戸先側の端部（図中右端）に、ワイヤーで扉Ａと連結した箱型のゼンマイ動力式扉自閉ユニット１３を固着し、その上側に細長いポンプ式エアブレーキ１４を上ガイドレール１１と平行に固着している。そして、斯かる構成のガイドレール体Ｇを、開口部Ｓ上方で壁体Ｗに固定している。
【００１５】
扉Ａは、横幅が短い開閉方向Ｘ戸先側の引戸パネル１５と、２枚の幅広な折戸パネル１８・１９からなる戸尻側の折戸体２０とを備えてなる。
【００１６】
引戸パネル１５は、取っ手２１を有し、図３に示すように、上框面１５ａに、直角に曲げ成形した折曲プレート２２をボルトとナットで止め、折曲プレート２２の上板部背面に走行ガイド２３をねじ止めしている。走行ガイド２３は、上ガイドレール１１の係合溝１１ａに対し係合可能に、両側縁を曲げ成形した細長いガイド板からなる。走行ガイド２３には、その戸尻側端部に曲げ板片２８をねじ止めしている。曲げ板片２８は、戸尻側の端部を直角に折り曲げ、そこにエアブレーキ１４のピストン先端が突き当たる突当て部２８ａを形成している。
【００１７】
折曲プレート２２には、さらに戸尻側に折戸押圧手段２５を組み付けている。折戸押圧手段２５は、折曲プレート２２の上板部正面に支持アーム２６をねじ止めしている。支持アーム２６は、戸尻側の先端をＬ板状に曲げ成形した押圧部を設け、その下向き突片に突当て板部２６ａを形成すると共に、前向き突片にローラ支持板部２６ｂを形成し、ローラ支持部２６ｂでゴムローラ２７を下向きに軸支している。斯かる構成の引戸パネル１５は、走行ガイド２３を上ガイドレール１１にスライド自在に係合してガイドレール体Ｇで吊持する。なお、引戸パネル１５には、戸尻側の縦框面にゴム製のクッション材２９を接着している。
【００１８】
折戸体２０は、図４に示すように、戸先側の折戸パネル１８と戸尻側の折戸パネル１９を、ギヤヒンジ３０を介して折り畳み自在に連結している。ギヤヒンジ３０は、折戸体２０の長さに合わせて長尺な一対のギヤ片３１・３１を有する。ギヤ片３１・３１は、樹脂製で、それぞれ折戸パネル１８・１９の角縁に嵌め込んで接着する取付部３１ａと、長さ方向に歯溝を切って形成した断面半円状の歯部３１ｂとからなる。
【００１９】
そして、ギヤヒンジ３０は、互いの歯部３１ｂを噛み合わせて折戸パネル１８・１９を転回可能に連結している。また図５に示す如く、歯部３１ｂの凹条部に、断面コ形状をなす長尺なギヤカバー３２の側縁を嵌め込み、歯部３１ｂが外側から見えないようにギヤカバー３２を被せている。なお、ギヤヒンジ３０は、ギヤ片３１・３１の歯部３１ｂに矩形の軸受穴３１ｃを長さ方向に等間隔に設け、それら軸受穴３１ｃに駒状のスラスト軸受３３を嵌め付けて、ネジ３４で固定している。そして、スラスト軸受３３で、折戸パネル１８・１９から加わる荷重を受けてヒンジ強度を保持する構造になっている。
【００２０】
折戸体２０の戸先側折戸パネル１８は、図３に示すように、上框面１８ａの戸先側に枢軸３５を立設し、枢軸３５の上端に折曲プレート３６を回動可能に連結すると共に、折曲プレート３６に走行ガイド４０をねじ止めしている。折曲プレート３６は、直角に折り曲げ、その折曲片３６ａの一端にＬ板状に曲げ成形したストッパ片部３６ｂを設けてなる。走行ガイド４０は、下ガイドレール１２の係合溝１２ａに対し係合可能に両側縁を曲げ成形したガイド板からなる。そして、走行ガイド４０を下ガイドレール１２にスライド自在に係合し、戸先側の折戸パネル１８を、折曲プレート３６を介してガイドレール体Ｇに対し枢軸３５を支点として回動可能に連結し、そのガイドレール体Ｇで吊持する。
【００２１】
さらに、戸先側折戸パネル１８では、折曲プレート３６の貫通穴から枢軸３５を突出させ、その枢軸３５の上端を中心穴４１ａに通してローラ取付板４１を固着している。ローラ取付板４１は、矩形板状をなし、その板面上の所定偏心位置にゴムローラ４２を取り付けている。即ち、扉Ａが面一の図示閉止状態において、枢軸３５に対しギヤヒンジ３０の位置と反対側（外側）に寄った偏心位置に、折戸押圧手段２５に対応する押圧受部としてゴムローラ４２をねじ止めしている。
【００２２】
一方、戸尻側の折戸パネル１９には、図１および図２に示すように、上框面１９ａの戸尻側に支軸４５を立設し、支軸４５を、直角に曲げ成形した連結アーム４４の片側アーム部４４ａに穴を通して嵌合し、連結アーム４４を回動可能に連結している。そして、他側アーム部４４ｂをガイドレール体Ｇの戸尻側端部に固着し、戸尻側折戸パネル１９を、支軸４５を支点として回動可能にガイドレール体Ｇに取り付けて吊持する。
【００２３】
斯かる構成の折戸体２０と引戸パネル１５とは、図２に示すように、互いの下部側で連結手段５０を用いて連結している。連結手段５０は、長手の連結プレート５１を備える。連結プレート５１は、２つの長穴５１ａを有し、戸先側の一端部を、引戸パネル１５の下框面における戸尻側に、長穴５１ａにそれぞれ止めピン５２を通して取り付ける。そして、引戸パネル１５を折戸体２０に対し、長穴５１ａの長さ分だけ開閉方向Ｘに少し移動可能に連結している。一方、戸尻側の他端部の嵌合丸穴５１ｂに支点ピン５３を遊嵌し、その支点ピンで連結プレート５１の他端部を戸先側折戸パネル１８の下框面における戸先側に取り付ける。そして、戸先側折戸パネル１８が支点ピン５３を支点として回動できるように、連結プレート５１の他端部を戸先側折戸パネル１８に連結している。
【００２４】
なお、連結プレート５１の長穴５１ａは、扉Ａの開放初期動作に際し、引戸パネル１５のみの移動を許容する間隙に合わせた穴長さに形成している。そこで、斯かる連結手段５０は、図３に示すように、扉Ａが閉止状態において、折戸押圧手段２５側の突当て板部２６ａと押圧受部側のストッパ片部３６ｂ間に上記間隙ｄを介在させ、且つ折戸押圧手段２５のゴムローラ２７を押圧受部のゴムローラ４２に当接させて、引戸パネル１５と折戸体２０とを連結する。そして、図１に示す如く、引戸パネル１５と折戸体２０を互いの縦框面が正対する直列に連結し、扉Ａを面一に構成してなる。
【００２５】
さて、上述した構成の折戸式上吊り引戸装置において、いま閉止状態にある扉Ａを開くときは、取っ手２１を持って、引戸パネル１５を戸尻側へスライドさせる。そのとき、走行ガイド２３を介して上ガイドレール１１の案内で上記間隙ｄの僅かな距離だけ引戸パネル１５が直進すると、図６および図７に示すように、その間、折戸押圧手段２５のゴムローラ２７が、枢軸３５に対し偏心位置にあるゴムローラ４２を押圧する。ゴムローラ４２が押されると、それを契機に戸先側折戸パネル１８が連動し、枢軸３５を支点として回動し始める。
【００２６】
そして、更に引戸パネル１５をスライドさせて、クッション材２９を介して折戸体２０を押すと、ギヤヒンジ３０の歯部３１ｂ・３１ｂの噛み合いを介して、図８および図９に示すように折戸体２０がくの字に折れ曲がり、戸先側折戸パネル１８と共に戸尻側折戸パネル１９も支軸４５を支点として回動しながら、走行ガイド４０を介して下ガイドレール１２の案内でスライドする。その後、図１０に示すように折戸体２０が折り畳み状態になると、開口部Ｓが全開する。
【００２７】
一方、扉Ａを閉めるときは、同様に取っ手２１を持って、引戸パネル１５を反対の戸先側へ軽く引く。すると、扉自閉ユニット１３が作動し、扉Ａをワイヤーを介して引っ張り、折戸体２０を反対に転回させながら引戸パネル１５と共に自動的にスライドする。そして、引戸パネル１５の突当て部２８ａがエアブレーキ１４のピストン先端に当たると、エアブレーキ１４を次第に圧縮状態とし、扉Ａを、ブレーキを掛けながらスライドさせる。その後、引戸パネル１５の戸先側の縦框面が戸当たり９に当接したとき、扉Ａで開口部Ｓが閉止される。
【００２８】
ところで、上述した図示実施の形態では、２枚の折戸パネル１８・１９を、ギヤヒンジ３０を用いて折り畳み自在に連結した例を示した。しかし、本発明は、ギヤの噛み合いを利用した連結構造であれば、上記ギヤヒンジ３０を用いる場合に限定されない。
【００２９】
例えば図１１に、本発明による他の折戸式上吊り引戸装置を示すように、折戸パネル１８・１９の対向する縦框面の上下に、それぞれ半円形のギヤ５５を取り付け、それらギヤ５５をリンク５６で連結して互いの歯部を噛み合わせる構造にし、これにより、折戸パネル１８・１９を折り畳み自在に連結することもできる。なお、図示他例では、折戸パネル１８・１９間に可撓性のある樹脂製カバー５７を装着し、上下のギヤ５５間にできる隙間を覆っている。
【００３０】
また、上述した図示実施の形態において、折戸体２０には、戸先側折戸パネル１８の枢軸３５に対し、ギヤヒンジ３０の位置と反対側に寄った偏心位置に、ゴムローラ４２の押圧受部を設ける構成であった。しかし、本発明では、たとえば戸尻側折戸パネル１９の支軸４５に対し、ギヤヒンジ３０の位置と反対側に寄った偏心位置に、扉Ａの開放初期動作と連動して引戸パネル１５が押圧する押圧受部を設ける構成にすることもできる。
【００３１】
【発明の効果】請求項１に記載の発明によれば、引戸と折戸の構造を合体させた構成にすることによって、開閉操作が単純で簡単な引戸の長所と、開口部における有効開口幅を広く確保する折戸の長所を活かすことができると同時に、従来のように構造上見込み方向に扉の厚さが増すために開口部に扉設置スペースを大きく確保する必要性をなくし、折戸体と引戸パネルとが見込み方向にずれて斜めに連結される弊害も解消し、これによって、扉設置スペースを必要最小限に抑える共に、たとえ引戸と折戸の合体扉であっても、見栄えを悪化させることなく、美観性を高める効果を奏することができる。しかも、開口部下方の床面に、従来のように折戸体と引戸パネルを案内するガイドレールを設けて床面に段差が発生する弊害を解消することができ、昨今のバリアフリーの要請にも十分に適応することができる。
【図面の簡単な説明】
【図１】本発明による折戸式上吊り引戸装置の一例を、扉閉止状態において示す斜視図である。
【図２】折戸式上吊り引戸装置の分解斜視図である。
【図３】折戸式上吊り引戸装置の要部を拡大して示す斜視図である。
【図４】折戸体のギヤヒンジ構造部分を示す斜視図である。
【図５】扉開放状態でのギヤヒンジ構造を示す斜視図である。
【図６】折戸式上吊り引戸装置を、折戸体の折曲初期状態において示す斜視図である。
【図７】図６の状態で要部を拡大して示す斜視図である。
【図８】折戸式上吊り引戸装置を、扉半開き状態において示す斜視図である。
【図９】図８の状態で要部を拡大して示す斜視図である。
【図１０】折戸式上吊り引戸装置を、扉全開状態において示す斜視図である。
【図１１】本発明による折戸式上吊り引戸装置の他例を、扉閉止状態において示す斜視図である。
【図１２】他例の折戸式上吊り引戸装置を、扉半開き状態において示す斜視図である。
【符号の説明】
Ａ              扉
Ｇ              ガイドレール体
Ｓ              開口部
Ｗ              壁体
ｄ              間隙
１１・１２      ガイドレール
１５            引戸パネル
１８・１９      折戸パネル
２０            折戸体
２３・４０      走行ガイド
３０            ギヤヒンジ
３５            枢軸
４２            ゴムローラ（押圧受部）
４５            支軸
５０            連結手段
【図１】
2004218345.tif 000003
【図２】
2004218345.tif 000004
【図３】
2004218345.tif 000005
【図４】
2004218345.tif 000006
【図５】
2004218345.tif 000007
【図６】
2004218345.tif 000008
【図７】
2004218345.tif 000009
【図８】
2004218345.tif 000010
【図９】
2004218345.tif 000011
【図１０】
2004218345.tif 000012
【図１１】
2004218345.tif 000013
【図１２】
2004218345.tif 000014